(57)【特許請求の範囲】
【請求項１】
逐次入力される遊技情報を、予め定められている時々に、第１種の平均期間と第２種の平均期間とを含む少なくとも２種の平均期間で平均し、
第１種の平均期間は、第１の時点と特定の時点との間の期間であり、
第２種の平均期間は、第１の時点とは異なる第２の時点と特定の時点との間の期間であり、
第２種の平均期間は、第１種の平均期間を含み、
平均期間を異にする平均値を各平均期間に対して予め決められている基準値と比較し、少なくとも１種の平均期間について、正常時と比べて遊技媒体が過剰に払い出されていることを示す結果となったときに報知する遊技情報監視装置。
【請求項２】
逐次入力される遊技情報を同時に第１種の平均期間と第２種の平均期間とを含む少なくとも２種の平均期間で平均し、
第１種の平均期間は、第１の時点と特定の時点との間の期間であり、
第２種の平均期間は、第１の時点とは異なる第２の時点と特定の時点との間の期間であり、
第２種の平均期間は、第１種の平均期間を含み、
平均期間を異にする平均値を各平均期間に対して予め決められている基準値と比較し、少なくとも１種の平均期間について、正常時と比べて遊技媒体が過剰に払い出されていることを示す結果となったときに報知する一連の処理を、最短平均期間内に複数回実行することを特徴とする遊技情報監視装置。
【請求項３】
所定期間毎に入力される期間内のセーフ数、始動数、特賞回数、あるいは、セーフ数とアウト数の比、始動数とアウト数の比、特賞回数とアウト数の比、特賞回数と始動数の比のうちの少なくとも一つのデータを、当該入力タイミング毎に、第１種の平均期間と第２種の平均期間とを含む少なくとも２種の平均期間で平均し、
第１種の平均期間は、第１の時点と特定の時点との間の期間であり、
第２種の平均期間は、第１の時点とは異なる第２の時点と特定の時点との間の期間であり、
第２種の平均期間は、第１種の平均期間を含み、
平均期間を異にする平均値を各平均期間に対して予め決められている基準値と比較し、少なくとも１種の平均期間について、正常時と比べて遊技媒体が過剰に払い出されていることを示す結果となったときに報知する遊技情報監視装置。
【発明の詳細な説明】
【０００１】
【発明の属する技術分野】
本発明は、遊技情報を監視して異常の発生を早期に確実に発見して報知する技術に関する。
【０００２】
【従来の技術】
パチンコ機に代表される遊技機を多数備えた遊技場では、コンピュータを利用して遊技機毎の遊技情報を逐次入力して記憶することが可能となっている。一方、不正ＲＯＭやぶら下がり基板を利用した遊技球の窃盗行為（不正に遊技して不正に賞品球を得ることをいう）が頻発しており、異常現象を早期に確実に発見して報知する技術が必要とされている。
現在では所定のインターバルで直前期間内の遊技情報の平均値を算出し、それを基準値と比較することによって遊技情報から異常現象を発見するようにしている。例えば30分おきに遊技情報を解析する場合には、10時30分に10時00分から10時30分の遊技情報から平均値を計算し、11時00分に10時30分から11時00分の遊技情報から平均値を計算し、これらの平均値を基準値と比較して異常な遊技がなされているか否かを監視する。
【０００３】
【発明が解決しようとする課題】
現在の技術では、異常現象を早期に確実に発見することは難しい。先に例示した例でいえば、10時01分から10時15分に異常遊技が行なわれことが10時30分まではわからない。
さりとてインターバルを短くすると、異常現象が見過ごされる可能性が増えてくる。例えばインターバルを10分とすると、10分間の現象としては異常でない程度によく当る現象が30分も連続する異常が見過ごされてしまう。不正遊技の手法が発達しており、短時間で大量に遊技球を窃盗する手法のみならず、短時間で見ると正常遊技中に有り得る程度の状態を慢性的に持続させて遊技球を窃盗する手法が採用されることもある。
現在の技術では、早期に発見しようとすると異常を見過ごすことが多くなってしまう。そこで本発明では、異常現象を早期に確実に発見して報知する技術を実現する。
【０００４】
【課題を解決するための手段と作用と効果】
本発明の遊技情報監視装置では、逐次入力される遊技情報を、予め定められている時々（例えば１分毎）に、少なくとも２種の平均期間（例えば10分と30分）で平均し、平均期間を異にする平均値を各平均期間に対して予め決められている基準値と比較し、異常な比較結果となったときに報知する。
括弧内に例示した場合でいえば、例えば、10時30分に、10時20分から10時30分までの10分間平均値と、10時00分から10時30分までの30分間平均値を得、10分間平均値は10分間基準値と比較し、30分間平均値は30分間基準値と比較するのである。これを１分毎に実行する。即ち、10時31分には、10時21分から10時31分までの10分間平均値と、10時01分から10時31分までの30分間平均値を得、これらをそれぞれの基準値と比較する。
ここでいう平均値は累計値であってもよい。例えば、10分間平均値は10分間平均基準値と比較し、30分間平均値は30分間平均基準値と比較するために、10分間累計値を10分間累計基準値と比較し、30分間累計値を30分間累計基準値と比較しても同じ結果が得られる。ここでいう平均値は、必ずしも時間で除した値に限定されず、平均値に比例する値、例えば累計値をも含むものである。
上記の「平均して比較して必要に応じて報知する」処理は、最短平均期間内に繰返し実行することが好ましい。先の例でいえば、10時30分に同上の処理をした後、短いほうの平均期間が経過する前に（即ち10時40分となる前に）、同上の処理を繰返すことが好ましい。
この好ましい遊技情報監視装置は、逐次入力される遊技情報を同時に少なくとも２種の平均期間で平均し、平均期間を異にする平均値を各平均期間に対して予め決められている基準値と比較し、異常な比較結果となったときに報知する一連の処理を、最短平均期間内に複数回実行する。
この場合、いわゆる移動平均値が求められ、過去の遊技情報が異常判別のために有効に複数回活用される。
【０００５】
監視する遊技情報として効果的なものは、所定期間内のセーフ数、始動数、特賞回数、あるいはこれらの比率であって、遊技者の利益に直結する数値である。これらの数値は、不正遊技時には異常な値を示す。この場合、所定期間毎に入力される期間内のセーフ数、始動数、特賞回数、あるいは、セーフ数とアウト数の比、セーフ数と期間長の比、始動数とアウト数の比、始動数と期間長の比、特賞回数とアウト数の比、特賞回数と期間長の比、特賞回数と始動数の比のうちの少なくとも一つのデータを、当該入力タイミング毎に、少なくとも２種の平均期間で平均し、平均期間を異にする平均値を各平均期間に対して予め決められている基準値と比較し、異常な比較結果となったときに報知する。
【０００６】
例えば、短期間に大量の遊技球を窃盗する場合には、短期間平均値が異常となって長期間平均値が異常とならないのに対し、わずかに多めの遊技球を長期にわたって安定的に窃盗する場合には、長期間平均値が異常となって短期間平均値が異常とならないことがある。
本発明では、平均期間を異にする少なくとも２種の平均値を異常監視対象とすることから、各種の異常現象を見過ごすことなく、しかも、早期に発見して報知することができる。
【０００７】
【発明の実施の形態】
図６は、第１遊技機が10時00分から23時00分まで連続遊技された間に、逐次（1分毎に）入力された遊技情報を蓄積して記憶した遊技の実績情報である。縦軸は時間を示し、遊技情報は１分毎に収集して記憶される。図中で時刻欄が空白の記録欄は図示の便宜のために図示省略したものであり、実際には他の時刻と同様の記録が蓄積記録されている。
Ａの欄は1分間のアウト数であり、10時01分の欄には、10時00分から10時01分までの１分間に遊技機に打込まれた遊技球数が示されている。Ｂの欄は１分間のセーフ数であり、１分間に払い出された賞品球数を示している。Ｃの欄は１分間の平均出球率を示し、１分間のセーフ数を１分間のアウト数で除した値をパーセントで表示している（セーフ数とアウト数の比に関する量である）。Ｄの欄は１分間の始動数を示し、１分間の図柄変動回数に等しい。Ｅの欄は特賞回数を示し、特賞開始時に１が記載されている。１分間に２回以上特賞状態となることはない。Ｆの欄は遊技機の確率状態を示し、普通確率状態であればＬが記憶され、高確率状態に切換わるとＨが記憶される。
その右側には累計値が示され、この場合、10時00分の遊技開始時から累積したアウト数（Ｇの欄）、セーフ数（Ｈの欄）、始動数（Ｉの欄）、特賞回数（Ｊの欄）が記憶されている。図６の最下行に示されるように、この遊技機は、10時00分から23時00分までの間に、78,000発が打ち込まれ、94,139個の賞品球が払い出され、その間に5,863回図柄が変動し、内の29回で特賞となったことがわかる。Ｋの欄には、始動数を特賞回数で除した値が記憶されており、図６の最下行に示されるように、この遊技機の場合、平均して202.2回図柄が変動すると特賞があたることがわかる。
出球率の移動平均欄には、平均期間を異にする４種類の出球率平均値が記憶されている。例えば、10時10分の10分間の欄には、10時00分から10時10分までの10分間の出球率平均値が記憶されている。10時30分の30分間の欄には、10時00分から10時30分までの30分間の出球率平均値が記憶されている。11時00分の１時間の欄には、10時00分から11時00分までの１時間の出球率平均値が記憶されている。12時00分の２時間の欄には、10時00分から12時00分までの２時間の出球率平均値が記憶されている。
４種類の出球率平均値は１分おきに更新され、例えば、10時11分の10分間の欄には、10時01分から10時11分までの10分間の出球率平均値が記憶されている。縦軸方向には出球率の移動平均値が整理されている。
【０００８】
図７と８には、第２遊技機に対する同様の遊技情報が示され、図９と１０には、第３遊技機に対する同様の遊技情報が示され、図１１には、第４遊技機に対する同様の遊技情報が示されている。
【０００９】
図１（Ａ）は第１遊技機の出球率の10分間移動平均値の時間的変動を示し、（Ｂ）は同遊技機の出球率の30分間移動平均値の時間的変動を示し、（Ｃ）は同遊技機の出球率の１時間移動平均値の時間的変動を示し、（Ｄ）は同遊技機の出球率の２時間移動平均値の時間的変動を示している。
図１（Ａ）から第１遊技機の10分間移動平均値の最大値は701％であることがわかる（図６の21時39分の欄参照）。同様に（Ｂ）から同遊技機の30分間移動平均値の最大値がわかり、（Ｃ）から１時間移動平均値の最大値がわかり、（Ｄ）から２時間移動平均値の最大値がわかる。
【００１０】
図２には第２遊技機の移動平均値の時間的変動が示され、図３には第３遊技機の移動平均値の時間的変動が示され、図４には第４遊技機の移動平均値の時間的変動が示されている。
【００１１】
同様のことを783台の正常な遊技機が正常に遊技されている間に収集された遊技情報に実施した結果が図５に示される。
図５の10分間の欄から、783台中の４台では10分間移動平均値の最大値が470％であり、２台では10分間移動平均値の最大値が690％であり、10分間移動平均値の最大値が700％以上となる遊技機は存在しないことがわかる。なおここで、480％と680％で遊技機台数が増える理由は、10分間の間に１回しか特賞にならなかった遊技機と、２回特賞になった遊技機が混在するためである。
【００１２】
図５の30分間の欄から30分間移動平均値が500％以上となるのはわずかに４台に過ぎないことがわかる。また１時間の欄から１時間移動平均値が400％以上となるのはわずかに10台に過ぎないことがわかる。さらに２時間の欄から２時間移動平均値が300％以上となるのはわずかに21台に過ぎないことがわかる。
【００１３】
783台の正常な遊技機の遊技情報から、10分間移動平均値が700％以上となることはまず無く、30分間移動平均値が500％以上となること、１時間移動平均値が400％以上となること、並びに２時間移動平均値が300％以上となることは極めて少ないことがわかる。
そこで10分間移動平均値については基準値を700％とし、30分間移動平均値については基準値を500％とし、１時間移動平均値については基準値を400％とし、２時間移動平均値については基準値300％としておいて実際に検出された移動平均値と比較すると、正常なら起こらないか、あるいはまれにしか起こらない事象を発見することができる。
【００１４】
図１の第１遊技機の場合、図１に示すように、30分間平均値については基準値（500％）を超えることが無く、１時間平均値についても基準値（400％）を超えることが無く、２時間平均値についても基準値（300％）を超えることがないのに対し、10分間平均値については21時39分に基準値（700％）を超えたことがわかる。図６の四角枠内に、異常に高い10分間移動平均値をもたらした10分間の遊技情報が示されており、10分の間に３度も特賞があたっており（普通ではまずおきない）、不正遊技が行なわれている確率が高い異常現象が生じていることがわかる。このような異常があっても、30分間平均値については異常で無くなっており、10分間平均値を採用することではじめて発見できる異常現象が存在することが確認される。
図１２は、図６の遊技情報から、10分間平均値を10分毎に算出した結果を示す。即ち、10時10分に10時00分から10時10分の遊技情報から平均値を計算し、10時20分に10時10分から10時20分の遊技情報から平均値を計算した結果を示している。明らかに、10分平均値の最大値は700％以下なり、この方法では異常が見過ごされてしまうことがわかる。
本実施例では移動平均値を監視対象にすることから、異常現象を速やかにかつ確実に発見することができる。
【００１５】
図２の第２遊技機の場合、１時間平均値については基準値（400％）を超えることが無いのに、10分間平均値については14時23分に基準値（700％）を超え（図８）、30分間平均値については13時38分と14時36分に基準値（500％）を超え（図７と図８）、２時間平均値については、14時33分から15時21分と19時03分から19時23分で基準値（300％）を超えていることがわかる。
この場合、13時38分の30分間平均値の異常は、10分間平均値からでは発見できず、30分間平均値を採用することではじめて発見できる異常現象が存在することが確認される。
【００１６】
図３の第３遊技機の場合、19時34分に、１時間平均値が基準値（400％）を超えたことがわかる（図１０）。この異常は、18時35分から19時34分までの30分間の遊技に対応するところ、その間の10分間平均値については基準値（700％）を超えることがなく、30分間平均値についても基準値（500％）を超えることが無く、１時間平均値を採用することではじめて発見できる異常現象が存在することが確認される。
【００１７】
図４の第４遊技機の場合、10分間平均値については基準値（700％）を超えることが無く、30分間平均値についても基準値（500％）を超えることが無く、１時間平均値についても基準値（400％）を超えることが無いにもかかわらず、２時間平均値は、13時24分に基準値（300％）を超えている。図１１の四角枠内に異常に高い２時間移動平均値をもたらした過去２時間分の遊技情報が示されており、普通ではまずおきないような異常な高頻度で特賞があたっており、不正遊技が行なわれている確率が高いことがわかる。なおこのような異常があっても、２時間平均値以外では異常で無く、２時間平均値を採用することではじめて発見できる異常現象が存在することが確認される。
【００１８】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
例えば、監視対象は出球率に限られず、セーフ数、始動数、特賞回数、あるいは、セーフ数と期間長の比（即ち単位時間あたりのセーフ数）、始動数とアウト数の比、始動数と期間長の比（即ち単位時間あたりの始動数）、特賞回数とアウト数の比、特賞回数と期間長の比（即ち単位時間あたりの特賞回数）、特賞回数と始動数の比などのような遊技者の利益に直結する様々な指標を監視することができる。
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
例えば、上記実施例ではパチンコ機からの遊技情報を収集する装置について説明したが、本発明の適用対象はこれに限られず、例えば、遊技媒体としてメダルを使用するスロットマシン等からの遊技情報を収集する装置にも適用することができる。
【図面の簡単な説明】
【図１】（Ａ）は第１遊技機の出球率の10分間移動平均値の時間的変動を示し、（Ｂ）は同遊技機の出球率の30分間移動平均値の時間的変動を示し、（Ｃ）は同遊技機の出球率の１時間移動平均値の時間的変動を示し、（Ｄ）は同遊技機の出球率の２時間移動平均値の時間的変動を示す。
【図２】（Ａ）は第２遊技機の出球率の10分間移動平均値の時間的変動を示し、（Ｂ）は同遊技機の出球率の30分間移動平均値の時間的変動を示し、（Ｃ）は同遊技機の出球率の１時間移動平均値の時間的変動を示し、（Ｄ）は同遊技機の出球率の２時間移動平均値の時間的変動を示す。
【図３】（Ａ）は第３遊技機の出球率の10分間移動平均値の時間的変動を示し、（Ｂ）は同遊技機の出球率の30分間移動平均値の時間的変動を示し、（Ｃ）は同遊技機の出球率の１時間移動平均値の時間的変動を示し、（Ｄ）は同遊技機の出球率の２時間移動平均値の時間的変動を示す。
【図４】（Ａ）は第４遊技機の出球率の10分間移動平均値の時間的変動を示し、（Ｂ）は同遊技機の出球率の30分間移動平均値の時間的変動を示し、（Ｃ）は同遊技機の出球率の１時間移動平均値の時間的変動を示し、（Ｄ）は同遊技機の出球率の２時間移動平均値の時間的変動を示す。
【図５】  783台の遊技機でそれぞれ13時間連続して遊技したときに得られた各平均期間での最大出球率平均値の分布を示す。例えば、10分間平均値の場合、10分間平均出球率の最大値が470％のものが４台あったことを示している。
【図６】  第１遊技機で14時間連続遊技したときの遊技情報。
【図７】  第２遊技機で14時間連続遊技したときの遊技情報その１。
【図８】  第２遊技機で14時間連続遊技したときの遊技情報その２。
【図９】  第３遊技機で14時間連続遊技したときの遊技情報その１。
【図１０】第３遊技機で14時間連続遊技したときの遊技情報その２。
【図１１】第４遊技機で14時間連続遊技したときの遊技情報。
【図１２】第１遊技機の出球率の10分間平均値を10分ごとに算出したものの時間的変動を示す。
【図１】
0004756621.tif 000002
【図２】
0004756621.tif 000003
【図３】
0004756621.tif 000004
【図４】
0004756621.tif 000005
【図５】
0004756621.tif 000006
【図６】
0004756621.tif 000007
【図７】
0004756621.tif 000008
【図８】
0004756621.tif 000009
【図９】
0004756621.tif 000010
【図１０】
0004756621.tif 000011
【図１１】
0004756621.tif 000012
【図１２】
0004756621.tif 000013